(57)【要約】【課題】クランプロッドを高精度にガイドする。【解決手段】ハウジング３に上下方向へ移動可能に挿入したクランプロッド５に、その上端に設けた片持ちアーム６用の固定部分と、上記ハウジング３の上端壁３ａに上下方向へ移動自在に支持された上摺動部分１１と、ピストン１５によって上下方向へ駆動される入力部１４と、上記ハウジング３の下端壁３ｂに上下方向へ移動自在に支持された下摺動部分１２とを、下向きに順に設ける。その下摺動部分１２の外周面に複数のガイド溝２６を周方向へほぼ等間隔に形成する。上記の各ガイド溝２６を、上向きに連ねて設けた旋回溝２７及び直進溝２８によって構成する。上記の複数のガイド溝２６に嵌合する係合ボール２９を上記の下端壁３ｂの内壁１３ａに支持する。【選択図】図１
2006150589.tif 000002
【特許請求の範囲】
【請求項１】
ハウジング(３)に軸心方向へ移動可能に挿入したクランプロッド(５)に、片持ちアーム(６)用の固定部分と、上記ハウジング(３)の第１端壁(３ａ)に軸心方向へ移動自在に支持された第１摺動部分(１１)と、ピストン(１５)によって軸心方向へ駆動される入力部(１４)と、上記ハウジング(３)の第２端壁(３ｂ)に軸心方向へ移動自在に支持されると共に複数のガイド溝(２６)が周方向へほぼ等間隔に形成された第２摺動部分(１２)とを、上記の軸心方向へ順に設け、
上記の各ガイド溝(２６)を、上記の第２端壁(３ｂ)から上記の第１端壁(３ａ)へ向けて連ねて設けた旋回溝(２７)及び直進溝(２８)によって構成して、上記クランプロッド(５)の上記の第２摺動部分(１２)の外周に形成し、
上記の複数のガイド溝(２６)にそれぞれ係合させた係合具(２９)を、上記ハウジング(３)の前記の第２端壁(３ｂ)に周方向へ間隔をあけて支持した、ことを特徴とする旋回式クランプ。
【請求項２】
請求項１に記載した旋回式クランプにおいて、
前記クランプロッド(５)の前記の第２摺動部分(１２)に前記ガイド溝(２６)を３つ以上設けた、ことを特徴とする旋回式クランプ。
【請求項３】
請求項１又は２に記載した旋回式クランプにおいて、
前記クランプロッド(５)の前記の第２摺動部分(１２)の外径寸法を前記の第１摺動部分(１１)の外径寸法よりも小さい値に設定した、ことを特徴とする旋回式クランプ。
【発明の詳細な説明】
【技術分野】
【０００１】
この発明は、クランプロッドを旋回させる形式のクランプに関する。
【背景技術】
【０００２】
この種の旋回式クランプには、例えば、特許文献１に示すように、次のように構成されたものがある。
ハウジング内にクランプロッドを挿入し、そのクランプロッドの途中高さ部を上記ハウジングの上壁に上下移動自在に支持し、上記クランプロッドの下部に設けたピストンを上記ハウジングの胴部に上下移動自在に支持したものである。
【特許文献１】米国特許５，８２０，１１８号公報
【発明の開示】
【発明が解決しようとする課題】
【０００３】
上記の従来技術では次の問題がある。
上記クランプロッドの下部に設けた上記ピストンの外周面と上記のハウジング胴部との間に嵌合隙間が存在するので、上記クランプロッドをクランプ駆動したときに、上記の嵌合隙間によって上記クランプロッドが僅かながらも傾き、そのクランプロッドを精度良くガイドできない。
本発明の目的は、クランプロッドを高精度にガイドできるようにすることにある。
【課題を解決するための手段および発明の効果】
【０００４】
上記の目的を達成するため、本発明は、例えば、図１から図４、又は図６から図９、若しくは、図１０・図１１・図１２の各図に示すように、旋回式クランプを次のように構成した。
ハウジング３に軸心方向へ移動可能に挿入したクランプロッド５に、片持ちアーム６用の固定部分と、上記ハウジング３の第１端壁３ａに軸心方向へ移動自在に支持された第１摺動部分１１と、ピストン１５によって軸心方向へ駆動される入力部１４と、上記ハウジング３の第２端壁３ｂに軸心方向へ移動自在に支持されると共に複数のガイド溝２６が周方向へほぼ等間隔に形成された第２摺動部分１２とを、上記の軸心方向へ順に設け、
上記の各ガイド溝２６を、上記の第２端壁３ｂから上記の第１端壁３ａへ向けて連ねて設けた旋回溝２７及び直進溝２８によって構成して、上記クランプロッド５の上記の第２摺動部分１２の外周に形成し、
上記の複数のガイド溝２６にそれぞれ係合させた係合具２９を、上記ハウジング３の前記の第２端壁３ｂに周方向へ間隔をあけて支持した。
【０００５】
本発明は、次の作用効果を奏する。
上記の入力部の両端の外側で上記クランプロッドに第１及び第２の二つの摺動部分を設けることになるので、これら軸心方向へ離れた二つの摺動部分によって上記クランプロッドを強力に支持できる。このため、上記クランプロッドが傾くのを防止して、そのクランプロッドを前記ハウジングに確実かつ高精度にガイドできる。
また、前記の複数の旋回溝および複数の係合具からなる旋回機構を、上述したガイド用の強度を備えた第２端壁と第２摺動部分との間に設けたので、その旋回機構が旋回トルクに十分に耐えることが可能となり、旋回機構の寿命が長くなる。そのうえ、上記の複数の係合具を上記の第２端壁に設けたので、その係合具の設置箇所と上記の第２摺動部分の支持箇所とを兼用できる。このため、上記ハウジングの高さを低くして、旋回式クランプをコンパクトに造れる。
【０００６】
本発明では、例えば、図４、又は図９の各図に示すように、前記クランプロッド５の前記の第２摺動部分１２に前記ガイド溝２６を３つ以上設けることが好ましい。
【０００７】
本発明では、例えば、図１、又は図６、若しくは、図１０・図１１・図１２の各図に示すように、前記クランプロッド５の前記の第２摺動部分１２の外径寸法を前記の第１摺動部分１１の外径寸法よりも小さい値に設定することが好ましい。
【０００８】
この場合、上記の第２摺動部分の外径寸法を小さくすることにより、その第２摺動部分に形成した旋回溝のリードが短くなるので、前記クランプロッドの旋回用ストロークが短くなる。このため、旋回式クランプをコンパクトに造れるうえ、前記の入力部をピストンによって駆動する場合には上記ピストンへの圧力流体の供給量が少なくなる。
【発明を実施するための最良の形態】
【０００９】
本発明の第１実施形態を図１から図４によって説明する。まず、図１によって旋回式クランプの全体構造を説明する。その図１は、上記クランプの立面視の部分断面図である。
【００１０】
ワークパレット１にはクランプ２のハウジング３が複数のボルト(図示せず)によって固定される。そのハウジング３の筒孔４内にクランプロッド５が挿入される。そのクランプロッド５の上端部分にアーム６がナット７によって所望の旋回位置に固定され、そのアーム６の先端部分に押ボルト８が固定される。即ち、上記クランプロッド５の上端部分が、片持ちアーム６用の固定部分として構成されている。
上記のハウジング３の上端壁(第１端壁)３ａに、上記クランプロッド５のロッド本体５ａに設けた上摺動部分(第１摺動部分)１１が摺動自在で保密状に支持される。さらに、上記のハウジング３の下端壁(第２端壁)３ｂの一部を構成する支持筒１３には、上記ロッド本体５ａから下向きに突出させた下摺動部分(第２摺動部分)１２が摺動自在に支持される。上記の上摺動部分１１と下摺動部分１２とは、それぞれ、上記の上端壁３ａと下端壁３ｂとに緊密に嵌合されている。
また、上記の下摺動部分１２の外径寸法は、上記の上摺動部分１１の外径寸法よりも小さい値に設定してある。
【００１１】
上記クランプロッド５を駆動する手段は次のように構成されている。
前記の上摺動部分１１と下摺動部分１２との間で上記クランプロッド５にフランジ状の入力部１４が設けられる。また、上記クランプロッド５に環状のピストン１５が封止具１６を介して上下移動自在で保密状に外嵌され、そのピストン１５が上記の入力部１４に上側から対面される。そして、上記のピストン１５が別の封止具１５ａを介して前記の筒孔４内に保密状に挿入される。
【００１２】
さらに、上記の入力部１４と上記のピストン１５との間にラジアルベアリング２４が配置されると共に、そのピストン１５が止め輪２５によって抜け止めされている。なお、上記ラジアルベアリング２４は、ここでは、多数の金属製ボールによって構成してあり、半径方向の力のみならず上下方向のスラストも受け止め可能になっている。
【００１３】
上記ピストン１５と前記の上端壁３ａとの間にクランプ用の第１室２１が設けられ、その第１室２１に、圧縮コイルバネ製のクランプバネ２０が装着される。また、上記のピストン１５と前記の下端壁３ｂとの間にアンクランプ用の第２室２２が設けられ、その第２室２２には、アンクランプ用の圧油給排口１９と絞り用の油路１８とを介して圧油が給排される。
なお、上記の第２室２２の周壁と上記ピストン１５の外周面との間の嵌合隙間Ｇによって、上記の油路１８から上記の第２室２２への圧油の供給量を制限すると共に、同上の第２室２２から上記の油路１８への圧油の排出量を制限するようになっている。
【００１４】
上記クランプロッド５の下摺動部分１２と上記の支持筒１３の内壁１３ａの上部とにわたって旋回機構が設けられる。その旋回機構は、上記の図１と、図２から図４に示すように、次のように構成されている。その図２は、上記の旋回機構の平面視の断面図である。また、図３は、上記の図１中の要部の拡大図であって、上記の図２中のIII−III線矢視断面図に相当する図である。図４は、上記の下摺動部分１２の外周面の拡大展開図である。
【００１５】
上記の下摺動部分１２の外周面に３つのガイド溝２６が周方向へほぼ等間隔に設けられる。上記の各ガイド溝２６は、断面視で弓形の溝からなり、螺旋状の旋回溝２７と直進溝２８とを上向きに連ねて構成される。上記の複数の旋回溝２７が相互に平行状に配置されると共に、上記の複数の直進溝２８も相互に平行状に配置されている。上記の隣り合うガイド溝２６・２６のうちの図４中の右方の旋回溝２７の下部と左方の旋回溝２７の上部との間で隔壁の厚さが最小となっており、その隔壁の最小厚さＭが、上記ガイド溝２６の溝幅Ｗよりも小さい値に設定される。また、その旋回溝２７の傾斜角度Ａが約１１度から約２５度の範囲内の小さな値に設定されている。なお、例示したバネ力によるクランプにおいては、旋回ストロークを小さくするために、上記の傾斜角度Ａを約１１度から約２０度の範囲内の値にすることが好ましい。
このように上記の螺旋状の旋回溝２７の傾斜角度Ａを小さくしたので、その旋回溝２７のリードが大幅に短くなる。このため、上記クランプロッド５の旋回用ストロークが小さくなる。
【００１６】
上記の各ガイド溝２６に係合ボール２９が嵌入される。図３および図４中の参照符号２９ａは、上記の係合ボール２９の嵌合部分を示している。上記の係合ボール２９の直径Ｄ(図３参照)は、前記の隣り合う旋回溝２７・２７の隔壁の前記の最小厚さＭよりも大きい値になっている。各係合ボール２９が、前記の支持筒１３の内壁１３ａの上部に設けた３つの貫通孔３１に回転自在に支持される。これら３つの係合ボール２９にわたってスリーブ３５が軸心回りに回転自在に外嵌される。より詳しくいえば、上記スリーブ３５の内周面にＶ字状の溝３６が形成され、そのＶ字状の溝３６の上下の二点で係合ボール２９が転動可能になっている。
上記の係合ボール２９は、上記スリーブ３５に設けたメネジ孔４９を通して前記の貫通孔３１へ挿入される。そのメネジ孔４９に取りつけた蓋ボルト５０の先端の突出部５０ａが上記の係合ボール２９を受け止め可能になっている。
【００１７】
また、前記の旋回溝２７の下端部には、上記の係合ボール２９の前記の嵌合部分２９ａを受け止めるストッパー壁４５が設けられる。そのストッパー壁４５の受け止め面４５ａが上記の係合ボール２９に嵌合可能になっている。
さらに、上記ガイド溝２６の開口縁部には、干渉防止用の切削面３４が設けられている。これにより、上記の係合ボール２９の面圧によって上記ガイド溝２６の開口縁部が塑性変形して盛り上がったときでも、その盛り上がり部と前記の支持筒１３の内壁１３ａとの干渉を防止できる。その結果、前記クランプロッド５が長期間にわたって円滑に回転する。
【００１８】
なお、図１に示すように、上記の支持筒１３の外壁１３ｂが上下方向へ延びる位置決めピン３８を介して前記ハウジング３の胴部３ｃに回り止めされている。これにより、上記ハウジング３に対する上記クランプロッド５の旋回位相を正確に決定できるようになっている。なお、上記の支持筒１３は、止め輪からなるロック部材３９によって上記ハウジング胴部３ｃに固定されている。
【００１９】
上記の旋回式クランプ２は次のように作動する。
図１の状態では、前記アンクランプ用の第２室２２へ圧油が供給されており、これにより、前記クランプロッド５は図示の旋回退避位置へ上昇している。
上記クランプ２をクランプ状態へ切換えるときには、上記の第２室２２の圧油を排出して、前記クランプバネ２０によって上記クランプロッド５の前記の入力部１４を押し下げていく。すると、そのクランプロッド５は、前記の旋回溝２７に沿って平面視で時計回りの方向へ旋回しながら下降し、引き続いて、前記の直進溝２８に沿って真っすぐに下降する。これにより、そのクランプロッド５がクランプ位置(図示せず)へ切り換わる。
【００２０】
図２中の矢印に示すように、上記クランプロッド５が平面視で時計回りの方向へ旋回するときには、前記の旋回溝２７に嵌入された前記の各係合ボール２９が平面視で反時計回りの方向へ転動し、これと同時に、上記の各係合ボール２９に外嵌された前記スリーブ３５が反時計回りの方向へ自由に回転する。このため、上記スリーブ３５の内周面と上記の各係合ボール２９との間には、ほとんどコロガリ摩擦だけが作用してスベリ摩擦がほとんど作用しなくなり、上記スリーブ３５から上記の各係合ボール２９に作用する抵抗が小さくなる。その結果、上記の各係合ボール２９から前記の旋回溝２７に作用する摩擦力が小さくなり、前記クランプロッド５が軽い力で円滑に旋回する。
なお、ここでは、上記のスリーブ３５の内径寸法は、上記クランプロッド５の前記の下摺動部分１２の外径寸法の約1.5倍の値に設定されている。このため、上記クランプロッド５を９０度旋回させる場合には、上記スリーブ３５が約６０度回転することになる。
【００２１】
上記クランプ２を上記クランプ状態から図１の旋回退避状態へ切換えるときには、前記アンクランプ用の第２室２２へ圧油を供給する。すると、まず、前記ピストン１５が、その環状断面積に作用する上向きの油圧力によって上昇し、これと同時に、前記のクランプロッド５が、前記の封止具１６の内側断面積に作用する上向きの油圧力によって前記の直進溝２８に沿って真っすぐに上昇していく。引き続いて、上記クランプロッド５が、前記の旋回溝２７に沿って平面視で反時計回りの方向へ旋回しながら上昇して、上記クランプロッド５および前記アーム６が図１の旋回退避位置へ切り換わる。
【００２２】
この場合、上述したように、上記の第２室２２の圧油から上記ピストン１５に作用する上向きの力が上記クランプロッド５に加わらないので、上記の旋回溝２７や前記の係合ボール２９に過大な力が作用しない。
なお、上記の旋回退避時には、上記クランプロッド５が平面視で反時計回りの方向へ旋回すると、前記の各係合ボール２９と前記スリーブ３５とが前記の図２中の矢印とは逆の方向へ回転する。
【００２３】
また、上記の旋回退避時には、上記の図１および図４に示すように、前記ストッパー壁４５の前記の受け止め面４５ａが上記の係合ボール２９の前記の嵌合部分２９ａに嵌合して上記クランプロッド５の旋回を阻止する。このため、そのクランプロッド５の旋回停止精度が高い。また、上記ストッパー壁４５を上記クランプロッド５に設けたので、そのストッパー壁４５を前記ハウジング３の前記の胴部３ｃに設けた場合と比較すると、次の長所が得られる。即ち、そのハウジング３の前記の筒孔４は、上記ストッパー壁用の段付き部を無くしてストレートに造れる。このため、その筒孔４の機械加工が容易になり、そのうえ、前記のクランプバネ２０を大形かつ強力にできる。
【００２４】
上記の第１実施形態はさらに次の長所を奏する。
上記クランプロッド５に複数のガイド溝２６を設けて、これらのガイド溝２６にそれぞれ係合ボール２９を嵌合させたので、前記の支持筒１３に上記の複数の係合ボール２９を介して上記クランプロッド５を周方向でほぼ均等に支持することが可能となる。このため、クランプおよびアンクランプ駆動時に上記クランプロッド５の傾きを防止できる。その結果、前記アーム６に設けた前記の押ボルト８のクランプ位置およびアンクランプ位置の位置決め精度が向上する。
【００２５】
また、前記の隣り合うガイド溝２６・２６の隔壁の最小厚さＴを、そのガイド溝２６の溝幅Ｗよりも小さい値に設定したので、上記クランプロッド５に多くのガイド溝２６を設けて同上クランプロッド５を周方向でほぼ均等に支持することと、前記の旋回溝２７の傾斜角度Ａを小さくすることとを両立できる。このため、上記クランプロッド５の旋回に必要なストロークを小さくして、旋回式クランプ２をコンパクトに造れる。
【００２６】
前記ピストン１５の両端方向の外側で前記クランプロッド５に上摺動部分(第１摺動部分)１１と下摺動部分(第２摺動部分)１２とを設けたので、上記ピストン１５の嵌合隙間の存在にもかかわらず、軸心方向へ離れた二つの摺動部分１１・１２によって上記クランプロッド５が傾くのを防止できる。従って、上記クランプロッド５を上記ハウジング３によって確実かつ高精度にガイドできる。
また、前記の旋回溝２７および係合ボール２９からなる旋回機構を、上述したガイド用の強度を備えた前記の支持筒１３と下摺動部分１２との間に設けたので、その旋回機構が旋回トルクに十分に耐えることが可能となり、旋回機構の寿命が長くなる。そのうえ、上記の係合ボール２９を上記の支持筒１３に設けたので、その係合ボール２９の設置箇所と下摺動部分１２の支持箇所とを兼用できる。このため、上記ハウジング３の高さを低くして、旋回式クランプ２をコンパクトに造れる。
【００２７】
さらに、上記の下摺動部分１２の外径寸法を前記の上摺動部分１１の外径寸法よりも小さい値に設定したので、その下摺動部分１２に形成した旋回溝２７のリードが短くなる。このため、前記クランプロッド５の旋回用ストロークがさらに短くなる。このため、旋回式クランプ２をさらにコンパクトに造れるうえ、前記ピストン１５を駆動するための圧油の給排量も少なくなる。
【００２８】
図５は、上記の第１実施形態の変形例を示し、前記の図４に類似する部分図である。この図５では、隣り合う旋回溝２７・２７の隔壁の最小厚さＭが前記の図４よりも小さい値に設定され、その最小厚さＭの部分で前記の隣り合う切削面３４・３４がオーバーラップされている。また、この図５では、上記の旋回溝２７の傾斜角度Ａを、上記の図４よりも小さい範囲内(約１１度から約１５度)の値に設定してある。
【００２９】
上記の第１実施形態と変形例は次のように変更可能である。
前記の係合ボール２９を回転自在に支持する前記の貫通孔３１は、例示した支持筒１３に設けることに代えて、前記のハウジング３の前記の胴部３ｃの下部に設けることも可能である。
前記スリーブ３５の内周面は、例示したＶ字状の溝３６を備えたものに代えて、Ｕ字状の溝または円弧状の溝を備えたものであってもよく、さらには、ストレート内周面であってもよい。なお、上記ストレート内周面の場合には、前記の係合ボール２９に対して上記スリーブ３５が上下移動するのを阻止するため、前記の支持筒１３の内壁１３ａと上記スリーブ３５との間に止め輪などのストッパーを設けることが考えられる。
【００３０】
なお、前記の螺旋状に形成した旋回溝２７の傾斜角度Ａは、１０度から３０度の範囲内であることが好ましく、１１度から２０度の範囲内であることがさらに好ましい。
【００３１】
図６から図９は本発明の第２実施形態を示し、図１０から図１２は本発明の第３実施形態を示している。これらの別の実施形態においては、上記の第１実施形態の構成部材と類似する部材には原則として同一の符号を付けてある。
【００３２】
図６から図９の第２実施形態において、図６は、旋回式クランプ２の立面視の部分断面図であって、前記の図１に類似する図である。図７は、上記クランプ２に設けた旋回機構の平面視の断面図であって、前記の図２に類似する図である。図８は、上記の図６中の要部の拡大図であって、上記の図７中のVIII-VIII線矢視断面図に相当する図である。図９は、上記クランプ２のクランプロッド５に設けた下摺動部分１２の拡大展開図である。
【００３３】
この第２実施形態は、前記の第１実施形態とは次の点で異なる。
前記クランプロッド５の駆動手段が複動式に構成される。即ち、前記ピストン１５の上側に設けた前記の第１室２１には、クランプ用の圧油給排口１７を介してクランプ用の圧油が給排される。また、上記ピストン１５の下側に設けた前記の第２室２２にも、アンクランプ用の圧油給排口(図示せず)と油路１８とを介してアンクランプ用の圧油が給排される。
上記ピストン１５の外周に嵌着した前記の別の封止具１５ａの上下の両外側では、そのピストン１５の外周面と前記の筒孔４との間に比較的に大きな嵌合隙間が形成されている。これにより、上記のクランプロッド５は、前記の上摺動部分１１と下摺動部分１２との上下の２箇所で前記ハウジング３に円滑かつ精度良く支持される。
【００３４】
上記の下摺動部分１２の外周面に４つのガイド溝２６が周方向へほぼ等間隔に設けられる。前述の第１実施形態と同様に、各ガイド溝２６は、螺旋状の旋回溝２７と直進溝２８とを上向きに連ねて構成されているが、上記の旋回溝２７の下部は上下方向へ延びる溝(参照数字なし)を介して上記クランプロッド５の下面に開口している。前記の係合ボール２９は上記の開口部を通して上記ガイド溝２６に挿入可能になっている。
なお、前記の第１実施形態と同様に、上記の隣り合うガイド溝２６・２６のうちの図９中の右方の旋回溝２７の下部と左方の旋回溝２７の上部との間で隔壁の厚さが最小となっており、その隔壁の最小厚さＭが、上記ガイド溝２６の溝幅Ｗおよび上記の係合ボール２９の直径よりも小さい値に設定されている。
【００３５】
上記の各ガイド溝２６に嵌入した係合ボール２９が、前記の支持筒１３の内壁１３ａの上部に設けた４つの貫通孔３１に回転自在に支持される。これら４つの係合ボール２９にわたってスリーブ３５が軸心回りに回転自在に外嵌される。前記の旋回溝２７には円弧状の凹所３７が形成されており、その凹所３７の上下外側の二箇所で係合ボール２９が旋回溝２７に転動可能になっている。
【００３６】
前記アンクランプ用の第２室２２の周壁の下部と前記の支持筒１３の上面との間には筒状のスペーサ３２が装着されている。そのスペーサ３２の上面に絞り用の溝３３が形成され、その絞り用の溝３３によって、前記の油路１８から上記の第２室２２への圧油の供給量を制御するようになっている。なお、その溝３３に代えて貫通孔などを利用することも可能である。
上記の支持筒１３は、雄ネジ筒からなるロック部材３９によって上記ハウジング胴部３ｃに押圧固定されている。
なお、前記の第１実施形態と同様に、前記の上摺動部分１１の外径寸法よりも前記の下摺動部分１２の外径寸法を小さい値に設定している。このため、前記の螺旋状の旋回溝２７のリードが短くなって、前記クランプロッド５の旋回用ストロークが小さくなる。
【００３７】
図１０は、本発明の第３実施形態を示している。その図１０は、旋回式クランプの立面視の部分断面図であって、前記の図６に類似する図である。
この図１０の第３実施形態は、上記の図６の構造とは次の点だけが異なる。
前記の図６中のスリーブ３５を省略してある。そして、前記の支持筒１３の前記の内壁１３ａに支持した前記の係合ボール２９が前記のスペーサ３２によって抜け止めされている。
【００３８】
図１１は、上記の第３実施形態の第１変形例を示し、上記の図１０に類似する図である。
この図１１の第１変形例は、上記の図１０の構造とは次の点で異なる。
前記ピストン１５は前記クランプロッド５と一体に形成される。そのピストン１５と前記の下端壁３ｂとの間に、前記の第２室２２と受圧排除用シリンダ孔４１とが下方へ向けて順に設けられる。そのシリンダ孔４１は、アダプター筒４２の内周面によって構成されており、そのシリンダ孔４１に上記クランプロッド５の封入部分５ｂが封止具４３によって保密状に挿入される。
【００３９】
上記の構成により、アンクランプ時に上記クランプロッド５に作用する上向きの力は、上記の第２室２２の横断面積から上記の封入部分５ｂの横断面積を差し引いた環状断面積に作用する油圧力だけとなるので、前記の旋回溝２７や前記の係合ボール２９に過大な力が作用しない。
上記の封入部分５ｂの直径は、上記の第２室２２の直径よりも小さい値であればよく、ここでは、上記クランプロッド５の上摺動部分１１の直径とほぼ同じ値に設定してある。
なお、上記の封入部分５ｂの直径を上記の上摺動部分１１の直径よりも大きい値に設定することが好ましい。この場合、アンクランプ時に上記クランプロッド５に作用する上向きの力をさらに小さくできるので、前記の旋回溝２７や前記の係合ボール２９の寿命が延びる。
【００４０】
前記の図１０と同様に、前記ピストン１５の外周面と前記の筒孔４の上半部分との間に比較的に大きな嵌合隙間が形成されている。また、前記クランプロッド５の前記の封入部分５ｂと前記シリンダ孔４１との間にも比較的に大きな嵌合隙間が形成されている。
前記の油路１８の下端面に前記の絞り用の溝３３が形成されている。
また、クランプ状態とアンクランプ状態とを検出するためのロッド４６が前記の下摺動部分１２から下向きに突出される。そのロッド４６に形成したネジ孔４７に被検出具(図示せず)がネジ止めされ、その被検出具にリミットスイッチ等のセンサ(図示せず)が対面される。
【００４１】
さらに、前記の支持筒１３の下部にプラグ５１が保密状に嵌入され、そのプラグ５１内に設けた呼吸路５２によって前記のシリンダ孔４１の内部空間が外部へ連通される。上記の呼吸路５２には、模式図に示すように、バネ式逆止弁からなるトラップ弁５３が設けられる。
そのトラップ弁５３は次のように作用する。前記クランプロッド５が上昇して前記シリンダ孔４１の内部空間が膨張したときには、そのトラップ弁５３の逆止作用によって、外部の雰囲気中の切削油等が上記のシリンダ孔４１へ侵入するのを防止する。また、そのトラップ弁５３は、上記クランプロッド５が下降して上記シリンダ孔４１の内部空間が収縮したときには、前記の第２室２２から上記のシリンダ孔４１の内部空間へ侵入した圧油を外部へ円滑に排出する。
【００４２】
図１２は、同上の第３実施形態の第２変形例を示し、前記の図１０に類似する図である。この図１２は、単動バネ復帰形の旋回式クランプ２を示し、上記の図１０の構造とは次の点で異なる。
【００４３】
前記ピストン１５は前記クランプロッド５と一体に形成されている。また、前記の支持筒１３と上記ピストン１５との間に形成した第２室２２内にアンクランプ用の戻しバネ５６が装着され、その戻しバネ５６によって前記クランプロッド５が上向きに付勢される。ここでは、上記の戻しバネ５６は、圧縮コイルバネによって構成されている。そして、上記バネ５６の下端が前記の支持筒１３に接当され、そのバネ５６の上端がスラストボールベアリング５７を介して前記ピストン１５よって受止められる。
また、前記の複数の係合ボール２９にわたって前記スリーブ３５が回転自在に外嵌されている。
なお、前記トラップ弁５３は、上記の支持筒１３の中央部にネジ止めしたボルト５８に装着されている。
【００４４】
上記の各実施形態や各変形例は、さらに次のように変更可能である。
前記クランプロッド５の前記ガイド溝２６は、３つ又は４つ設けることが好ましいが、２つ設けたものであってもよく、さらには５つ以上でも可能である。また、上記ガイド溝２６は、例示した螺旋状の旋回溝２７を備えたものに代えて、カム状の溝を備えたものであってもよい。
隣り合うガイド溝２６・２６の隔壁の前記の最小厚さＴは、前記の係合ボール２９の直径よりも小さい値であればよい。従って、上記の最小厚さＴを上記ガイド溝２６の前記の溝幅Ｗよりも大きい値にすることも可能である。
また、上記ガイド溝２６に嵌入される係合具は、例示したボール２９に代えて円柱状のピン等であってもよい。
【００４５】
前記の第１室２１または第２室２２に給排される圧力流体は、例示した圧油に代えて、他の種類の液体や空気等の気体であってもよい。
前記クランプロッド５は、クランプ作動時に平面視で時計回りの方向へ旋回させるとしたが、これに代えて、そのクランプ作動時に平面視で反時計回りの方向へ旋回させてもよい。また、上記クランプロッド５の旋回角度は、例えば９０度・６０度・４５度などの所望の角度に設定できることは勿論である。
【図面の簡単な説明】
【００４６】
【図１】本発明の第１実施形態を示し、旋回式クランプの立面視の部分断面図である。
【図２】上記クランプに設けた旋回機構の平面視の断面図である。
【図３】上記の図１中の要部の拡大図であって、上記の図２中のIII−III線矢視断面図に相当する図である。
【図４】上記クランプのクランプロッドに設けた下摺動部分の拡大展開図である。
【図５】上記の第１実施形態の変形例を示しており、上記の図４に類似する部分図である。
【図６】本発明の第２実施形態のクランプの立面視の部分断面図であって、前記の図１に類似する図である。
【図７】上記の第２実施形態のクランプに設けた旋回機構の平面視の断面図であって、前記の図２に類似する図である。
【図８】上記の図６中の要部の拡大図であって、上記の図７中のVIII−VIII線矢視断面図に相当する図である。
【図９】上記の第２実施形態のクランプのクランプロッドに設けた下摺動部分の拡大展開図であって、前記の図４に類似する図である。
【図１０】本発明の第３実施形態のクランプを示し、前記の図６に類似する図である。
【図１１】上記の第３実施形態の第１変形例を示しており、上記の図１０に類似する図である。
【図１２】同上の第３実施形態の第２変形例を示しており、同上の図１０に類似する図である。
【符号の説明】
【００４７】
３…ハウジング、３ａ…第１端壁(上端壁)、３ｂ…第２端壁(下端壁)、５…クランプロッド、６…アーム（片持ちアーム）、１１…第１摺動部分(上摺動部分)、１２…第２摺動部分(下摺動部分)、１４…入力部、１５…ピストン、２０…クランプバネ、２１…クランプ用の第１室、２２…アンクランプ用の第２室、２４…ラジアルベアリング、２６…ガイド溝、２７…旋回溝、２８…直進溝、２９…係合具(係合ボール)、３１…貫通孔、３５…スリーブ、Ａ…旋回溝２７の傾斜角度。
【図１】
2006150589.tif 000003
【図２】
2006150589.tif 000004
【図３】
2006150589.tif 000005
【図４】
2006150589.tif 000006
【図５】
2006150589.tif 000007
【図６】
2006150589.tif 000008
【図７】
2006150589.tif 000009
【図８】
2006150589.tif 000010
【図９】
2006150589.tif 000011
【図１０】
2006150589.tif 000012
【図１１】
2006150589.tif 000013
【図１２】
2006150589.tif 000014